(57)【要約】【課題】従来、特に大きなサイズになればなるほど持ち運ぶのが大変だった。仮に折りたたむにしても折ったところに溝が出来て文字を書きにくいし、丸めるにしても、広げたときにペラペラで使いにくい。【解決手段】柔軟な文字ボード（１）の裏に硬質な角材（３）を付けることによって文字ボード（１）の部分を丸められ、尚且つ広げたときに湾曲することなく一枚板として使えるように逆側に湾曲しないような支持手段として、角材（３）の裏に形成した支持棒用溝（５）に支持棒（７）を横から差し込む。【選択図】図２
2013111971.tif 000002
【特許請求の範囲】
【請求項１】
柔軟な文字ボード本体と、この文字ボード本体の裏側に隙間なく、又は接近させて固定された硬質な角材を備え、使用時文字ボード本体を面状に保持して使用でき、不使用時丸める事が出来る文字ボード。
【請求項２】
請求項１の文字ボード裏側の角材に、文字ボード本体を面状に保てる保持手段として、角材に半円より大きい円周の支持棒用溝を設け、その支持棒用溝に伸縮式支持棒や押し込み連結式支持棒等を差し込む事によって固定できる請求項１記載の文字ボード。
【請求項３】
請求項１の文字ボード裏側の角材の横や内部に設けた穴の中に、文字ボード本体を面状に保てる保持手段として、角材にスライド駒を入れられる溝を設けスライド駒を入れておき、スライド駒をスライドさせることにより角材の継ぎ目に駒が入ることで固定できる請求項１記載の文字ボード。
【発明の詳細な説明】
【技術分野】
【０００１】本発明は、ホワイトボードやクリップボードや看板等、一枚板を使用する物品に関するものである。
【背景技術】
【０００２】従来、ホワイトボードやクリップボードや看板等は、持ち運ぶときに特に大きなものは苦労していた。
なお、ホワイトボードが折りたためる物は知られている。（特許文献１参照）
【先行技術文献】
【０００３】
【特許文献１】  特開２００６−１５９８８１号公報
【発明の概要】
【発明が解決しようとする課題】
【０００４】従来、特に大きなサイズになればなるほど持ち運ぶのが大変だった。
仮に折りたたむにしても折ったところに溝が出来て文字を書きにくい。
丸めるにしても、広げたときにペラペラで使いにくい。
【課題を解決するための手段】
【０００５】柔軟な文字ボードの裏に硬質な角材（３）を隙間なく、ほとんど隙間なく、又は接近させて付けることによって文字ボード（１）の部分を丸められ、尚且つ広げたときに湾曲することなく一枚板として使えるようにする。
逆側に湾曲しないような支持手段として、角材（３）の裏に形成した支持棒用溝（５）に支持棒（７）を横から差し込む。
第２の支持手段として、柔軟な文字ボード（１）の裏に硬質な角材（３）を付け、その角材（３）の横に形成したスライド駒用溝（９）にスライド駒（１１）を入れ込み、角材（３）の間にスライド駒（１１）をスライドさせる。
【発明の効果】
【０００６】コンパクトなサイズになって携帯できるので、野外での使用や目的地に文字ボードが無い時に自分で持っていける。
又、移動中に電車やバス等の中で周りの人に迷惑がかかりにくい。
【図面の簡単な説明】
【０００７】
【図１】  本発明の本体表側からみた斜視図である。
【図２】  本発明裏側の支持棒による支持手段例の斜視図である。
【図３】  本発明横側の支持棒による支持状態とその拡大図である。
【図４】  本発明の本体表側の斜視図である。
【図５】  本発明裏側のスライド駒による支持手段例の斜視図である。
【図６】  本発明横側のスライド駒用溝とスライド駒の斜視図である。
【図７】  本発明角材のスライド駒横外れ防止手段例の上部断面図である。
【図８】  本発明の丸めた状態の斜視図である。
【図９】  本発明の丸めた状態の斜視図である。
【図１０】  本発明の支持棒の２種類の例である。
【図１１】  本発明の使用例を示す図である。
【発明を実施するための形態】
【０００８】（イ）  柔軟な素材の文字ボード（１）の裏側に、硬質な素材の角材（３）を付ける。
（ロ）  角材（３）に支持棒用溝（５）又はスライド駒用溝（９）を設ける。
（ハ）  はめ込み式や折りたたみ傘の柄のように伸縮する支持棒（７）又はスライド駒（１１）を各溝に付けられるようにする。
【０００９】以下、本発明の実施の形態を、図面を参考にして説明する。
図１は本発明の第１の支持手段を持つ携帯文字ボードの斜視図、図２は図１の携帯文字ボードの裏側から見た斜視図、図３は図１の文字ボードの側面図である。
第１の支持手段を持つ本発明の携帯文字ボードは柔軟な素材の文字ボード本体（１）と、この文字ボード本体（１）の裏側に硬質なプラスチック等の素材の角材（３）を取り付け、この角材（３）に文字ボード本体を面状に保つ手段として、内周が半円より大きい円周で支持棒（５）の直径よりも大きい支持棒用溝（５）を、それぞれの角材（３）に文字ボード本体の長手方向に貫通した形状に作り、その支持棒用溝（５）に伸縮式や取り付け式の支持棒（７）を差し込むことによって面状に保て、文字ボード（１）の表面をホワイトボードにする事により文字の書き消しが出来る。
又、支持棒（７）は図１０に記すように、一対の棒部材を分離可能にし、それを接続する事により形成され、外側から支持棒用溝（５）に差し込んで文字ボード本体（１）を面状に保持するものである。
携帯時には支持棒（７）を支持棒用溝（５）から外側に出して、文字ボード本体（１）をロール状に丸めて、支持棒（５）を分離して携帯可能とする。
第２の支持手段を持つ本発明の携帯文字ボードを以下に説明する。
図４は本発明の第２の支持手段を持つ文字ボードの斜視図、図５は図４の文字ボードの裏側から見た斜視図、図６は図４の文字ボードの側面の分解図である。
第２の文字ボード本体は柔軟な素材の文字ボード本体（１）と、この文字ボード本体（１）の裏側に硬質なプラスチック等の素材の角材（３）を付け、この角材（３）に文字ボード本体を面状に保つ手段として、半円よりも大きな円周の溝とスライド駒が落ちないように横に長い溝、２種類のスライド駒用溝（９）を文字ボード本体の長手方向に貫通した形状に作り、そのスライド駒用溝（９）に、図６に書いたスライド駒（１１）を入れ込み、そのスライド駒（１１）を横に移動させることによって、それぞれの角材（３）の間にスライド駒（１１）が入る事によって面状に保て、文字ボード本体（１）の表面をホワイトボードにする事により文字の書き消しが出来る。
又、携帯時には、それぞれの角材（３）の間に入っているスライド駒（１１）を元の位置に戻し、文字ボード本体（１）をロール状に丸めて携帯可能とする。
【符号の説明】
【００１０】１    文字ボード
３    角材
５    支持棒用溝
７    支持棒
９    スライド駒用溝
１１  スライド駒
【図１】
2013111971.tif 000003
【図２】
2013111971.tif 000004
【図３】
2013111971.tif 000005
【図４】
2013111971.tif 000006
【図５】
2013111971.tif 000007
【図６】
2013111971.tif 000008
【図７】
2013111971.tif 000009
【図８】
2013111971.tif 000010
【図９】
2013111971.tif 000011
【図１０】
2013111971.tif 000012
【図１１】
2013111971.tif 000013